(57)【要約】      （修正有）【課題】ブッシングがその取付箇所から脱落することを防ぐことのできる電気機器の電源コード引廻し構造を提供する。【解決手段】キャビネット５の略矩形の開口窓６に凹入状のブッシング取付部８を連設する。開口窓６の口縁に樹脂ヒンジ７１を介して開閉動可能に連設したカバー体７に、閉時にブッシング取付部８で位置決めされた電源コード３のブッシング４の外面に当接する当り部７４を形成する。カバー体８を閉位置に規制するために、開口窓６の口縁にストッパ面６１を形成すると共に、固定ビス９をキャビネット５側のボス５５にねじ込む。【選択図】図３
0003113868.tif 000002
【実用新案登録請求の範囲】
【請求項１】
シャーシに取り付けられた配線基板の端縁部から引き出されている電源コードのブッシングを固定側部材に固定してその電源コードをキャビネットの外方へ引き出している電気機器の電源コード引廻し構造において、
上記固定側部材としてフロントキャビネットとリアキャビネットとに分割されたテレビジョン受像機キャビネットの上記リアキャビネットが選択され、そのリアキャビネットに、当該リアキャビネットの内側から外側へ向けて上記電源コードを仮挿通させることができ、かつ、口縁の輪郭線が閉じた環形に形作られた略矩形の開口窓が開設され、その開口窓の口縁の直線状の輪郭線を起点として側方へ凹入した形状にブッシング取付部が形成されていると共に、そのブッシング取付部に、上記開口窓の口内からそのブッシング取付部に差し込まれた上記ブッシングの溝部に係合してそのブッシングをキャビネットに対する内外方向で位置決めしているリブ状の係合部と、上記開口窓に臨むブッシング出入口とが備わり、上記開口窓の口縁に樹脂ヒンジを介して開閉動可能に連設されたカバー体に、当該カバー体の閉時に上記ブッシング取付部で位置決めされた上記ブッシングの外面に上記ブッシング出入口で当接してそのブッシングが上記ブッシング取付部から抜け出ることを阻止する当り部が形成され、かつ、その当り部に上記カバー体の裏面に立ち上げられたリブの側端面が含まれ、
上記キャビネットに上記カバー体に対して作用する閉位置規制手段が、上記開口窓の口縁に形成されて閉時の上記カバー体の裏面に重なり合うストッパ面、又は、上記キャビネットに組み付けられた上記シャーシに取り付けられている上記配線基板の端面によって形成されて閉時の上記カバー体の裏面に重なり合うストッパ面によって形成されていて、閉時の上記カバー体を上記閉位置位置決め手段を形成している上記ストッパ面と共働して挾み込むことによりそのカバー体のがたつきを抑えるカバー体固定手段を有し、このカバー体固定手段が、カバー体を上記リアキャビネットに固定するための固定ビスでなることを特徴とする電気機器の電源コード引廻し構造。
【請求項２】
シャーシに取り付けられた配線基板の端縁部から引き出されている電源コードのブッシングを固定側部材に固定してその電源コードをキャビネットの外方へ引き出している電気機器の電源コード引廻し構造において、
上記固定側部材として選択した上記キャビネットに、当該キャビネットの内側から外側へ向けて上記電源コードを仮挿通させることができ、かつ、口縁の輪郭線が閉じた環形に形作られた開口窓が開設され、その開口窓に連続して上記ブッシングを挟持して位置決めする凹入状のブッシング取付部が形成されていると共に、上記開口窓の口縁に樹脂ヒンジを介して開閉動可能にカバー体が連設され、そのカバー体に、当該カバー体の閉時に上記ブッシング取付部で位置決めされた上記ブッシングの外面に当接してそのブッシングが上記ブッシング取付部から抜け出ることを阻止する当り部が備わっていることを特徴とする電気機器の電源コード引廻し構造。
【請求項３】
上記開口窓の口縁の輪郭線の一部が上下方向に延びる直線部を含み、上記ブッシング取付部が上記直線部を起点として側方へ凹入した形状に形作られていると共に、そのブッシング取付部が、上記開口窓の口内からそのブッシング取付部に差し込まれた上記ブッシングの溝部に係合してそのブッシングをキャビネットに対する内外方向で位置決めするリブ状の係合部と、上記開口窓に臨むブッシング出入口とを備え、ブッシング取付部に差し込まれた上記ブッシングの外面に上記ブッシング出入口で上記カバー体の当り部が当接している請求項２に記載した電気機器の電源コード引廻し構造。
【請求項４】
上記キャビネットに上記カバー体に対して作用する閉位置規制手段が備わり、上記当り部に上記カバー体の裏面に立ち上げられたリブの側端面が含まれている請求項３に記載した電気機器の電源コード引廻し構造。
【請求項５】
上記閉位置規制手段が、上記開口窓の口縁に形成されて閉時の上記カバー体の裏面に重なり合うストッパ面、又は、上記キャビネットに組み付けられた上記シャーシに取り付けられている上記配線基板の端面によって形成されて閉時の上記カバー体の裏面に重なり合うストッパ面である請求項４に記載した電気機器の電源コード引廻し構造。
【請求項６】
閉時の上記カバー体を上記閉位置位置決め手段を形成している上記ストッパ面と共働して挾み込むことによりそのカバー体のがたつきを抑えるカバー体固定手段を有する請求項５に記載した電気機器の電源コード引廻し構造。
【考案の詳細な説明】
【技術分野】
【０００１】
本考案は、電気機器の電源コード引廻し構造、詳しくは、電気機器のキャビネットの開口窓を通してそのキャビネットに内蔵された配線基板から引き出された電源コードを引き廻すための構造に関する。
【背景技術】
【０００２】
電気機器のキャビネットに内蔵されている配線基板に接続されてその配線基板から引き出されている電源コードを上記キャビネットの内側から外側へ引き出すためには、キャビネットに電源コードを挿通させる必要がある。その場合に、電源コードが振れたりして配線基板との接続箇所が断線することを防ぐための対策として、電源コードに弾力性を備えたブッシングを脱落しないように取り付けておき、そのブッシングを固定側部材に固定するという対策が講じられる。
【０００３】
そして、従来では、そのブッシングを取り付けるための固定側部材として、配線基板が取り付けられているシャーシを選択したもの（たとえば、特許文献１、特許文献２参照）や、シャーシに取り付けられた配線基板を内蔵しているキャビネットを選択したもの（たとえば、特許文献３、特許文献４、特許文献５）などがあった。
【０００４】
図１１及び図１２は、固定側部材としてシャーシを選択したものの例示として特許文献１に記載されている構造を示している。このものは、磁気テープ装置一体型テレビジョン受像機（ビデオ一体型テレビジョン受像機）のキャビネット１００の背壁下部に開口窓１１０を形成してあり、配線基板から引き出された電源コード１２０のブッシング１２１を、図１２のように、その配線基板が取り付けられている樹脂製のシャーシ１３０の端部に取り付けて固定していると共に、開口窓１１０を閉じるための開閉蓋１４０をキャビネット１００に開閉可能に一体成形してあり、その開閉蓋１４０がその閉位置でシャーシ１３０に具備させたねじ孔１３１に固定ビスとしてのビス１５０を用いて固定されるようになっている。
【０００５】
一方、図１３は、固定側部材としてキャビネットを選択したものの例示として特許文献３に記載されている構造を示している。このものは、キャビネット２００が筐体２１０と蓋体２５０とに２分割された分割型であって、分割箇所（筐体２１０の上端部）に形成した切り欠き部２４０を利用して電源コード２２０のブッシング２３０が固定されている。
【０００６】
ところで、ビデオ一体型テレビジョン受像機やテレビジョン受像機などの電気機器において、電源コードはそのキャビネットの内側から外側へ引き出されていることが不可欠であるために、一般的には、キャビネットにシャーシと共に内蔵されている配線基板の端部に半田付けなどで接続されてその配線基板から引き出される。そのため、電源コード１２０のブッシング１２１を取り付けるための固定側部材として、特許文献１によって提案されているもののようにシャーシ１３０を選択する場合には、ブッシング１２１が取り付けられるシャーシ１３０の端部が配線基板の端部の近くに位置していることが不可欠である。また、固定側部材として、特許文献３によって提案されているもののようにキャビネット２００を選択する場合には、分割型のキャビネット２００の分割箇所にブッシング２３０を取り付けるための切り欠き部２４０を形成したものが多い。
【特許文献１】実用新案登録第３０９４３５３号公報
【特許文献２】実用新案登録第３０９１３９４号公報
【特許文献３】特開平１０−２０５６５７号公報
【特許文献４】実開平６−２１２８９号公報
【特許文献５】実開平６−３８２８７号公報
【考案の開示】
【考案が解決しようとする課題】
【０００７】
しかしながら、近時では、電気機器の軽量化や小形化などを促進することが要請されていることなどにより、図１０に説明的に示したように、シャーシ１を小形化してその上に配線基板２を外方へはみ出した形で取り付けることが試みられている。その結果、図示明示のようにシャーシ１の端部が配線基板２の端部から遠く離れてしまい、配線基板２の端部から引き出された電源コード３のブッシング４を取り付けるための固定側部材としてシャーシ１を選択することのできない場合がある。したがって、上掲の特許文献１によって提案されている技術を、小形化されたシャーシ１を採用した電気機器の電源コード引廻し構造に適用することができない。
【０００８】
一方、上掲の特許文献３によって例示されているように固定側部材としてキャビネットを選択したものは、分割型のキャビネット２００の分割箇所にブッシング２３０を取り付けるための切り欠き部２４０を形成したものであるために、キャビネットの分割箇所以外の箇所に開口窓を形成してその開口窓を利用して電源コードをキャビネットの外側へ引き出すことが要請される場合には適用することができない。
【０００９】
本考案は以上の状況に鑑みてなされたものであり、小形化されたシャーシにそのシャーシからはみ出す形態で配線基板が取り付けられている場合を考慮して、電源コードのブッシングを取り付ける固定側部材としてキャビネットを選択し、その上で、配線基板が取り付けられたシャーシをキャビネットに組み付ける工程などにおいて電源コードをキャビネットの外側へ仮挿通させて引き出すことに用いられる開口窓がそのキャビネットの分割箇所以外の箇所に形成されている場合であっても、その開口窓を閉じるカバー体によってキャビネットに取り付けられた上記ブッシングがその取付箇所から脱落することを防ぐことのできる電気機器の電源コード引廻し構造を提供することを目的とする。
【００１０】
また、本考案は、キャビネットの分割箇所以外の箇所に設けられた開口窓を閉じる上記カバー体を、部品点数の増加を来さない構造でそのキャビネットに具備させることのできる電気機器の電源コード引廻し構造を提供することを目的とする。
【００１１】
さらに、本考案は、上記カバー体が閉位置でがたつくことを防ぐ対策を講じた電気機器の電源コード引廻し構造を提供することを目的とする。
【課題を解決するための手段】
【００１２】
本考案に係る電気機器の電源コード引廻し構造は、シャーシに取り付けられた配線基板の端縁部から引き出されている電源コードのブッシングを固定側部材に固定してその電源コードをキャビネットの外方へ引き出している電気機器の電源コード引廻し構造において、上記固定側部材として選択した上記キャビネットに、当該キャビネットの内側から外側へ向けて上記電源コードを仮挿通させることができ、かつ、口縁の輪郭線が閉じた環形に形作られた開口窓が開設され、その開口窓に連続して上記ブッシングを挟持して位置決めする凹入状のブッシング取付部が形成されていると共に、上記開口窓の口縁に樹脂ヒンジを介して開閉動可能にカバー体が連設され、そのカバー体に、当該カバー体の閉時に上記ブッシング取付部で位置決めされた上記ブッシングの外面に当接してそのブッシングが上記ブッシング取付部から抜け出ることを阻止する当り部が備わっている。
【００１３】
この構成であると、開口窓が分割型のキャビネットの分割箇所に設けられていない場合に、その開口窓を利用して束ねた電源コードをキャビネットの内側から外側に仮挿通させて引き出すことが可能になる。また、開口窓に連続して形成されている凹入状のブッシング取付部で電源コードのブッシングを挟持して位置決めすることができ、しかも、そのように位置決めされたブッシングの外面に、開口窓を閉じたカバー体の当り部が当接するために、そのブッシングがブッシング取付部から脱落するという事態が防止される。
【００１４】
この作用は、上記開口窓の口縁の輪郭線の一部が上下方向に延びる直線部を含み、上記ブッシング取付部が上記直線部を起点として側方へ凹入した形状に形作られていると共に、そのブッシング取付部が、上記開口窓の口内からそのブッシング取付部に差し込まれた上記ブッシングの溝部に係合してそのブッシングをキャビネットに対する内外方向で位置決めするリブ状の係合部と、上記開口窓に臨むブッシング出入口とを備え、ブッシング取付部に差し込まれた上記ブッシングの外面に上記ブッシング出入口で上記カバー体の当り部が当接している、という構成を採用することによっても発揮される。特にこの構成を採用すると、ブッシングをブッシング取付部に取り付ける作業を容易に行え、しかも、取り付けられたブッシングがキャビネットに対する内外方向で確実に位置決めされるという作用が奏される。
【００１５】
本考案では、上記キャビネットに上記カバー体に対して作用する閉位置規制手段が備わり、上記当り部に上記カバー体の裏面に立ち上げられたリブの側端面が含まれている、という構成を採用することが可能であり、これによれば、閉位置規制手段によってカバー体が閉位置に規制され、また、当り部を形成しているリブがカバー体を補強することに役立つ。
【００１６】
本考案では、上記閉位置規制手段が、上記開口窓の口縁に形成されて閉時の上記カバー体の裏面に重なり合うストッパ面、又は、上記キャビネットに組み付けられた上記シャーシに取り付けられている上記配線基板の端面によって形成されて閉時の上記カバー体の裏面に重なり合うストッパ面である、という構成を採用することが可能である。また、閉時の上記カバー体を上記閉位置位置決め手段を形成している上記ストッパ面と共働して挾み込むことによりそのカバー体のがたつきを抑えるカバー体固定手段を有する、という構成を採用することができる。これらの各考案によれば、キャビネットの開口窓を閉じているカバー体にがたつきが発生しにくくなり、そのことが、ブッシング取付部からのブッシングの脱落の確実に防ぐことに役立つ。
【００１７】
本考案に係る電気機器の電源コード引廻し構造は、シャーシに取り付けられた配線基板の端縁部から引き出されている電源コードのブッシングを固定側部材に固定してその電源コードをキャビネットの外方へ引き出している電気機器の電源コード引廻し構造において、上記固定側部材としてフロントキャビネットとリアキャビネットとに分割されたテレビジョン受像機キャビネットの上記リアキャビネットが選択され、そのリアキャビネットに、当該リアキャビネットの内側から外側へ向けて上記電源コードを仮挿通させることができ、かつ、口縁の輪郭線が閉じた環形に形作られた略矩形の開口窓が開設され、その開口窓の口縁の直線状の輪郭線を起点として側方へ凹入した形状にブッシング取付部が形成されていると共に、そのブッシング取付部に、上記開口窓の口内からそのブッシング取付部に差し込まれた上記ブッシングの溝部に係合してそのブッシングをキャビネットに対する内外方向で位置決めしているリブ状の係合部と、上記開口窓に臨むブッシング出入口とが備わり、上記開口窓の口縁に樹脂ヒンジを介して開閉動可能に連設されたカバー体に、当該カバー体の閉時に上記ブッシング取付部で位置決めされた上記ブッシングの外面に上記ブッシング出入口で当接してそのブッシングが上記ブッシング取付部から抜け出ることを阻止する当り部が形成され、かつ、その当り部に上記カバー体の裏面に立ち上げられたリブの側端面が含まれ、上記キャビネットに上記カバー体に対して作用する閉位置規制手段が、上記開口窓の口縁に形成されて閉時の上記カバー体の裏面に重なり合うストッパ面、又は、上記キャビネットに組み付けられた上記シャーシに取り付けられている上記配線基板の端面によって形成されて閉時の上記カバー体の裏面に重なり合うストッパ面によって形成されていて、閉時の上記カバー体を上記閉位置位置決め手段を形成している上記ストッパ面と共働して挾み込むことによりそのカバー体のがたつきを抑えるカバー体固定手段を有し、このカバー体固定手段が、カバー体を上記リアキャビネットに固定するための固定ビスでなる、という構成を採用することによっていっそう具体化される。この考案の作用は後述する実施形態を参照して詳細に説明する。
【考案の効果】
【００１８】
以上のように、本考案に係る電気機器の電源コード引廻し構造は、電源コードのブッシングをキャビネットのブッシング取付部に取り付けてあるので、小形化されたシャーシにそのシャーシからはみ出す形態で配線基板が取り付けられている場合であっても、その配線基板から引き出された電源コードが振れて配線基板との接続箇所で断線するという事態の発生が防止される。また、配線基板が取り付けられたシャーシをキャビネットに組み付ける工程（組付工程）などにおいて、電源コードを束ねてキャビネットの内側から外側へ引き出すときには、その電源コードを仮挿通させる開口窓を利用して引き出すことが可能であり、しかも、その開口窓は口縁の輪郭線が閉じた環形に形作られているので、キャビネットの分割箇所以外の箇所に電源コードを組付工程で仮挿通させるための開口窓を設けることが要求される場合の対策として有益である。そして、ブッシングは、開口窓を閉じているカバー体によってブッシング取付部から抜け出ることが防止されているために、電源コードが不慮に引張られたような場合でもブッシングの脱落が防止される結果、電源コードが振れて配線基板との接続箇所で断線するという事態が起こらない。また、カバー体が樹脂ヒンジを介してキャビネットと一体に成形されているために、キャビネットの分割箇所以外の箇所に開設された開口窓を閉じるためのカバー体を、部品点数の増加を来さない構造でそのキャビネットに具備させることが可能になるという効果や、カバー体が閉位置でがたつくことがなくなるという効果が奏される。
【００１９】
さらに、本考案によると、電気機器の電源コードがキャビネットに内蔵されている配線基板との接続箇所で断線するというおそれが少なく、しかも、小形化されたシャーシを用いることによって軽量化された電気機器を制作することが可能になるので、ユーザにとっての取扱い性にも優れる。
【考案を実施するための最良の形態】
【００２０】
図１は本考案の第１実施形態に係る引廻し構造を採用した電気機器のキャビネット５の開口窓形成箇所の部分斜視図、図２はキャビネット５の外側から見た開口窓形成箇所の部分背面図、図３はキャビネット５の内側から見た開口窓形成箇所の正面図、図４はカバー体７を固定ビス９でキャビネット５に固定した状態の縦断側面図、図５はカバー体７が開いている状態での図３のＶ−Ｖ線に沿う部分の端面図、図６は図３のＶＩ−ＶＩ線に沿う部分の端面図である。
【００２１】
図１に示したキャビネット５は、フロントキャビネットとリアキャビネットとを合わせることによって形成される分割型のキャビネットの上記リアキャビネットに相当していて、そのキャビネット５が、電源コード３のブッシング４を固定するための固定側部材として選択されている。そして、そのキャビネット５に、後述するシャーシ１に取り付けられた配線基板２の端部から引き出されている電源コード３を、そのシャーシ１の組付工程でキャビネット５の内側から外側へ束ねて引き出すことによる仮挿通のために利用される大きな開口窓６が開設されていて、その開口窓６に開閉動可能に略矩形のカバー体７が配備されている。図２〜図５を参照することによって判るように、開口窓６は、キャビネット５の背壁５１と下壁５２との相互間に亘って略矩形に形成されているのに対し、カバー体７は、キャビネット５の下壁５２側で開口窓６の口縁に樹脂ヒンジ７１を介して開閉動可能に連設されている。
【００２２】
また、開口窓６はその上下左右の各口縁の輪郭線６ａ，６ｂ，６ｃ，６ｄが閉じた略矩形の環形に形作られていて（図３参照）、そのうちの輪郭線６ｃを形成している上側の口縁には、閉時のカバー体７の上端部裏面に重なり合ってそのカバー体７を閉位置に規制する手段（閉位置規制手段）としてのストッパ面６１が形成されている（図２又は図４参照）。そして、右側の口縁の直線状の輪郭線６ｄを起点として側方へ凹入した形状にブッシング取付部８が形成されている。このブッシング取付部８には、開口窓６の口内からそのブッシング取付部８に横方向に差し込まれた電源コード３のブッシング４の溝部４１に係合してそのブッシング４をキャビネット５に対する内外方向で位置決めするためのコ字形の係合部８１がリブ状に形成されていると共に、開口窓６に臨むブッシング出入口８２とが備わっている。
【００２３】
これに対し、カバー体７は、その上端部近傍箇所に固定ビス挿通孔（以下「挿通孔」という）７２とを有していると共に、そのカバー体７の右側の辺部裏面の上端近傍箇所に横向きに延びる２つのリブ７３を有していて、このリブ７３の側端面７３ａと上記辺部の端面７ａとが当り部７４を形成している。そして、この当り部７４が、カバー体７の閉時にブッシング取付部８で位置決めされたブッシング４の外面にブッシング出入口８２で当接してそのブッシング４がブッシング取付部８から抜け出ることを阻止するようになっている。
【００２４】
一方、キャビネット５には、開口窓６の上側の口縁に連設された筒状のボス５５が設けられていて、このボス５５の筒孔５６に対して、閉時のカバー体７の挿通孔７２が同心に位置するようになっていると共に、カバー体７の閉時には、カバー体７の外側から挿通孔７２に挿通させたカバー体固定手段としての固定ビス９（図４参照）がボス５の筒孔５６にねじ込まれる。
【００２５】
上記キャビネット５に組み付けられる配線基板２は、図１０を参照して説明したように、小形化された樹脂製のシャーシ１の上に取り付けられていて、その配線基板２の後端部に電源コード３が半田付けで接続され、しかも、その電源コード３が配線基板２の後端部から後方へ引き出されている。また、配線基板２は、シャーシ１の上にあらかじめ取り付けられた状態でそのシャーシ１と共にキャビネット５の前側からそのキャビネット５に挿入するという操作を通じて組み付けられる。そして、そのような組付工程を行うときに、あらかじめ短く束ねられている電源コード３を、カバー体７を開くことによって開放されている開口窓６を通してキャビネット５の内側から外側へ引き出すという仮挿通が行われる。このように、大きな開口窓６を利用して電源コード３を仮挿通することによって、末端にプラグが接続されているような電源コード３を束ねたままキャビネット５の内側から外側へ引き出すことができるようになるので、そのことが、配線基板２を取り付けたシャーシ１をキャビネット５に組み付けるときの組付工程を確実にしかも迅速に行うことに役立つ。
【００２６】
キャビネット５に対するシャーシ１の組付工程を行った後では、開口窓６から引き出されている電源コード３のブッシング４をキャビネット５のブッシング取付部８に取り付け操作が行われる。すなわち、ブッシング４を開口窓６側からブッシング取付部８に嵌め込むことによって、そのブッシング４の溝部４１をブッシング取付部８の係合部８１に係合させる操作が行われ、この操作を行うことによって、ブッシング４がブッシング取付部８にキャビネットの内外方向で位置決めされる。この後、カバー体７を樹脂ヒンジ７１を中心にして図４矢印Ａのように閉動させてそのカバー体７で開口窓６を閉じ、そのカバー体７の挿通孔７２に挿通させた固定ビス９をボス５５の筒孔５６にねじ込んで締め付けると、図２又は図３のように、上記した当り部７４を形成しているリブ７３の側端面７３ａとカバー体７の端面７ａとが、ブッシング４の外面にブッシング取付部８のブッシング出入口８２で当接してそのブッシング４がブッシング取付部８から抜け出ることを阻止する。
【００２７】
こうしてブッシング４がキャビネット５側に固定されていると、電源コード３がキャビネット５の外側に引き出されている部分で振れても、その影響がブッシング４と配線基板２との接続箇所との間の部分には及ばないので、電源コード３が配線基板２との接続箇所で断線するという事態が発生しにくい。特に、上記当り部７４がブッシング４をブッシング取付部８に対する押込み方向に押し付けるようになっていると、ブッシング４のがたつきが確実に抑えられるために、上記したような電源コード３の振れに起因する断線が確実に防止される。
【００２８】
また、図４のように固定ねじ９をボス５５の筒孔５６にねじ込んで締め付けると、カバー体７の上端部７５がキャビネット５側のストッパ面６１に押し付けられて重なり合うために、そのストッパ面６１と固定ねじ９の頭部９１との間にカバー体７の上端部７５が挟み込まれ、その結果、カバー体７ががたつくということがなくなって、上記した当り部７４によるブッシング４の脱落防止作用の安定性ないし確実性が向上するという利点がある。
【００２９】
以上説明した実施形態では、閉時のカバー体７の上端部裏面に重なり合ってそのカバー体７を閉位置に規制するための閉位置規制手段が、キャビネット５側のストッパ面６１によって形成されているけれども、この点は、図４のように、キャビネット５に組み付けられた配線基板２の後端面をストッパ面２１として形成し、そのストッパ面２１に、カバー体７の裏面に形成した縦方向に延びるリブ７６が突き当たるように構成しておいてもよい。
【００３０】
なお、この実施形態では、カバー体７を固定ビス９で閉位置に固定するときの作業性を高めるために、カバー体７をキャビネット５に閉位置で仮止めする手段を設けてある。図１〜図３、図５又は図６のように、この仮止め手段は、カバー体７の上端に設けられた係止爪７７と、その相手方としてキャビネット５側に設けられた係止片５８とによって形成されていて、カバー体７を閉じたときに、図６のように係止爪７７が係止片５８に係止してカバー体７を閉位置に仮止めするようになっている。
【００３１】
次に、図７〜図９を参照して本考案の第２実施形態を説明する。図７は本考案の第２実施形態に係る引廻し構造を採用した電気機器のキャビネット５の内側から見た開口窓形成箇所の正面図、図８は図７のＶＩＩＩ−ＶＩＩＩ線に沿う部分の横断平面図、図９はカバー体７を固定ビス９でキャビネット５に固定した状態の縦断側面図である。
【００３２】
この第２実施形態では、開口窓６の上側の口縁の１箇所に、その開口窓６の口内に突き出たボス５５が一体に連設されているのに対し、カバー体７には、閉時に上記ボス５５に嵌合する凹入部７８が形成されている。そして、カバー体７を閉じてその凹入部７８をボス５５に嵌合させた状態で、座頭付きビスでなる固定ビス９を図９のようにボス５５の筒孔５６にねじ込んで締め付けると、キャビネット５に組み付けられている配線基板２の後端面によって形成されているストッパ面（閉位置規制手段）２１と固定ビス９の座部９２とによってカバー体７が挟み込まれてそのカバー体７が閉位置にがたつかない状態で固定されるようになっている。
【００３３】
この第２実施形態において、上記した以外の事項は、図１などを参照して説明した第１実施形態と同様である。たとえば、フロントキャビネットとリアキャビネットとを合わせることによって形成される分割型のキャビネットの上記リアキャビネットに相当しているキャビネット５が、電源コード３のブッシング４を固定するための固定側部材として選択されている。そして、キャビネット５に、シャーシ１（図１０参照）に取り付けられた配線基板２の端部から引き出されている電源コード３の仮挿通のために利用される大きな開口窓６が開設され、その開口窓６はその上下左右の各口縁の輪郭線６ａ，６ｂ，６ｃ，６ｄが閉じた略矩形の環形に形作られている点、その開口窓６に開閉動可能に略矩形のカバー体７が配備されている点、開口窓６がキャビネット５の背壁５１と下壁５２との相互間に亘って略矩形に形成されている点、カバー体７がキャビネット５の下壁５２側で開口窓６の口縁に樹脂ヒンジ７１を介して開閉動可能に連設されている点は、図１などを参照して説明した第１実施形態と同様である。また、開口窓６の右側の口縁の直線状の輪郭線６ｄを起点として側方へ凹入した形状にブッシング取付部８が形成されている点やブッシング取付部８の構成についても、図１などを参照して説明した第１実施形態と同様である。      
【００３４】
さらに、キャビネット５に組み付けられる配線基板２が、図１０を参照して説明したように小形化された樹脂製のシャーシ１の上に取り付けられていて、その配線基板２の後端部に電源コード３が半田付けで接続されて後方へ引き出されている点などについても同様である。
【００３５】
したがって、図７〜図９では、図１〜図６に示した部分と同一又は相応する部分には同一符号を付すことによって説明が重複を回避することとする。
【００３６】
この第２実施形態においても、ネット５に対するシャーシ１の組付工程を行った後で、開口窓６から引き出されている電源コード３のブッシング４を開口窓６側からブッシング取付部８に嵌め込んで取り付けると、そのブッシング４がブッシング取付部８にキャビネットの内外方向で位置決めされる。そして、カバー体７を樹脂ヒンジ７１を中心に閉動させて開口窓６を閉じ、上記したように固定ビス７２でカバー体７を閉位置に固定すると、図７又は図８のように、当り部７４を形成しているリブ７３の側端面７３ａとカバー体７の端面７ａとが、ブッシング４の外面にブッシング取付部８のブッシング出入口８２で当接してそのブッシング４がブッシング取付部８から抜け出ることを阻止する。そのため、電源コード３が配線基板２との接続箇所で断線するという事態が発生しにくい。
【図面の簡単な説明】
【００３７】
【図１】本考案の第１実施形態に係る引廻し構造を採用した電気機器のキャビネットの開口窓形成箇所の部分斜視図である。
【図２】キャビネットの外側から見た開口窓形成箇所の部分背面図である。
【図３】キャビネットの内側から見た開口窓形成箇所の正面図である。
【図４】カバー体を固定ビスでキャビネットに固定した状態の縦断側面図である。
【図５】カバー体が開いている状態での図３のＶ−Ｖ線に沿う部分の端面図である。
【図６】図３のＶＩ−ＶＩ線に沿う部分の端面図である。
【図７】第２実施形態に係る引廻し構造を採用した電気機器のキャビネットの内側から見た開口窓形成箇所の正面図である。
【図８】図７のＶＩＩＩ−ＶＩＩＩ線に沿う部分の横断平面図である。
【図９】カバー体を固定ビス９でキャビネットに固定した状態の縦断側面図である。
【図１０】小形化したシャーシに配線基板２を取り付けたものの説明図である。
【図１１】特許文献１に記載されている構造を示した説明図である。
【図１２】特許文献１に記載されている構造を示した他の説明図である。
【図１３】特許文献３に記載されている構造を示した説明図である。
【符号の説明】
【００３８】
１  シャーシ
２  配線基板
３  電源コード
４  ブッシング
５  キャビネット（リアキャビネット）
６ａ，６ｂ，６ｃ，６ｄ  開口窓の口縁の輪郭線
６  開口窓
７  カバー体
８  ブッシング取付部
９  固定ビス（カバー体固定手段）
２１  ストッパ面（閉位置規制手段）
４１  ブッシングの溝部
６１  ストッパ面（閉位置規制手段）
７１  樹脂ヒンジ
７３  リブ
７３ａ  リブの側端面
７４  当り部
８１  係合部
８２  ブッシング出入口
【図１】
0003113868.tif 000003
【図２】
0003113868.tif 000004
【図３】
0003113868.tif 000005
【図４】
0003113868.tif 000006
【図５】
0003113868.tif 000007
【図６】
0003113868.tif 000008
【図７】
0003113868.tif 000009
【図８】
0003113868.tif 000010
【図９】
0003113868.tif 000011
【図１０】
0003113868.tif 000012
【図１１】
0003113868.tif 000013
【図１２】
0003113868.tif 000014
【図１３】
0003113868.tif 000015